(57)【要約】      （修正有）【課題】幅１ｍを超えるサイズとなっても、垂れ下げたときに端部が内側に丸まってカールせず、且つシート表面へのインクジェット印刷が可能とされた内照式電飾看板用幅広不燃性シートを提供する。【解決手段】ガラス繊維基布１２と、ガラス繊維基布１２の両面に形成された粘着剤層１４と、粘着剤層１４の上に形成されたシリコーンコーティング層１６と、を有することを特徴とするインクジェット印刷可能な内照式電飾看板用幅広不燃性シート１０とした。【選択図】図１
0003221137.tif 000002
【実用新案登録請求の範囲】
【請求項１】
ガラス繊維基布と、前記ガラス繊維基布の両面に形成された粘着剤層と、前記粘着剤層の上に形成されたシリコーンコーティング層と、を有することを特徴とするインクジェット印刷可能な内照式電飾看板用幅広不燃性シート。
【請求項２】
前記内照式電飾看板用幅広不燃性シートの幅が１ｍを超えることを特徴とする請求項１記載のインクジェット印刷可能な内照式電飾看板用幅広不燃性シート。
【請求項３】
前記内照式電飾看板用幅広不燃性シートが、片面又は両面にインクジェット印刷が可能であることを特徴とする請求項１又は２記載のインクジェット印刷可能な内照式電飾看板用幅広不燃性シート。
【請求項４】
前記ガラス繊維基布の坪量が１５０〜７００ｇ／ｍ２、前記粘着剤層の坪量が片面につき２〜１１ｇ／ｍ２、前記シリコーンコーティング層の坪量が片面につき５〜２５ｇ／ｍ２であることを特徴とする請求項１〜３いずれか１項記載のインクジェット印刷可能な内照式電飾看板用幅広不燃性シート。
【考案の詳細な説明】
【技術分野】
【０００１】
本考案は、シート材の背後に光源を配置し、その光源からの光をシート材に照射して、展示や広告に用いられる内照式電飾看板用の不燃性シートに関し、特に幅広であり、シート表面へのインクジェット印刷が可能とされた内照式電飾看板用幅広不燃性シートに関する。
【背景技術】
【０００２】
商業施設等或いは駅や空港等の公共施設等の屋内外等の広告や看板に内照式電飾看板が用いられている。内照式電飾看板は、シート材の背後に光源を配置し、その光源からの光をシート材に照射して、広告などを投影させるようにした看板である。
【０００３】
一方で、内照式電飾看板には、火災時における延焼を防ぐため、建築基準法に基づいて、不燃材の使用が義務付けられている。内照式電飾看板用の不燃性シートとしては、例えば特許文献１に開示されているものがある。
【０００４】
そして、近年では、内照式電飾看板の大型化が進み、例えば、幅が１ｍを超えるような従来よりも幅広の内照式電飾看板のニーズもある。しかしながら、そのような幅広の内照式電飾看板用の不燃性のシートを作ろうとしてもそのような装置が存在しなかったのみならず、幅が１ｍを超えるような幅広の不燃性シートを作れたとしたとも、従来のものでは、不燃性シートを垂れ下げたときに端部が内側に丸まってカールしてしまうという問題があった。
【０００５】
また、多様な宣伝広告に使用するには、かかる不燃性シートはインクジェット印刷が可能である必要がある。
【０００６】
したがって、幅１ｍを超えるサイズにしても、垂れ下げたときに端部が内側に丸まってカールせず、且つインクジェット印刷が可能な内照式電飾看板用の不燃性のシートが望まれていた。
【先行技術文献】
【特許文献】
【０００７】
【特許文献１】特開２００６−１４５９１０
【考案の概要】
【考案が解決しようとする課題】
【０００８】
本考案は、上記した従来技術の問題点に鑑みなされたもので、幅１ｍを超えるサイズとなっても、垂れ下げたときに端部が内側に丸まってカールせず、且つシート表面へのインクジェット印刷が可能とされた内照式電飾看板用幅広不燃性シートを提供することを目的とする。
【課題を解決するための手段】
【０００９】
上記課題を解決するために、本考案に係るインクジェット印刷可能な内照式電飾看板用幅広不燃性シートは、ガラス繊維基布と、前記ガラス繊維基布の両面に形成された粘着剤層と、前記粘着剤層の上に形成されたシリコーンコーティング層と、を有するインクジェット印刷可能な内照式電飾看板用幅広不燃性シートである。
【００１０】
また、本発明の内照式電飾看板用幅広不燃性シートは、前記内照式電飾看板用幅広不燃性シートの幅が１ｍを超える幅広のシートである。幅としては、例えば５ｍ程度のものまで適用できる。長さについては、ロール巻の巻メーター数などによるものであるから、特に長さの制限はなく、適宜長さを選択すればよい。
【００１１】
前記内照式電飾看板用幅広不燃性シートが、片面又は両面にインクジェット印刷が可能であるのが好ましい。
【００１２】
前記ガラス繊維基布の坪量が１５０〜７００ｇ／ｍ２、前記粘着剤層の坪量が片面につき２〜１１ｇ／ｍ２、前記シリコーンコーティング層の坪量が片面につき５〜２５ｇ／ｍ２であるのが好適である。
【考案の効果】
【００１３】
本考案に係るインクジェット印刷可能な内照式電飾看板用幅広不燃性シートによれば、幅１ｍを超えるサイズとなっても、垂れ下げたときに端部が内側に丸まってカールせず、且つシート表面へのインクジェット印刷が可能とされた内照式電飾看板用幅広不燃性シートを提供することができるという著大な効果を有する。
【図面の簡単な説明】
【００１４】
【図１】本考案に係る内照式電飾看板用幅広不燃性シートの構造を示す模式図である。
【図２】本考案に係る内照式電飾看板用幅広不燃性シートを適用した内照式電飾看板の一例を示す断面図である。
【図３】図２の内照式電飾看板を正面から見た状態を示す模式図である。
【考案を実施するための形態】
【００１５】
以下に本考案の一つの実施の形態を実施例に基づき添付図面を参照して説明する。本考案の技術思想から逸脱しない限りこれらの実施の形態について種々の変更又は変形が可能なことは言うまでもない。なお、同一部材は同一符号で示される。
【００１６】
図１〜３において、符号１０は本考案の内照式電飾看板用幅広不燃性シートを示す。内照式電飾看板用幅広不燃性シート１０は、ガラス繊維基布１２と、前記ガラス繊維基布１２の両面に形成された粘着剤層１４と、前記粘着剤層１４の上に形成されたシリコーンコーティング層１６と、を有する構成とされている。
【００１７】
ガラス繊維基布１２は、ガラス繊維で作成した基布である。ガラス繊維としては、公知のガラス繊維が使用できる。
【００１８】
粘着剤層１４に用いられる粘着剤としては、例えばポリウレタン系粘着剤が好適である。図示例では、ポリウレタン系粘着剤を用いた例を示した。
【００１９】
シリコーンコーティング層１６に用いられるシリコーン樹脂としては、公知の不燃性のシリコーン樹脂をシリコーンコーティング層１６として用いることができる。
【００２０】
内照式電飾看板用幅広不燃性シート１０は、図２及び図３によく示されるように、内照式電飾看板１８に用いられる。
【００２１】
図２及び図３において、符号２０は内照式電飾看板１８の外枠である。前記外枠２０には、その内側に、ネオン管・ＬＥＤ・スポットライトなどの光源２２が設置される。その光源２２が隠れるように内照式電飾看板用幅広不燃性シート１０が設置される。図３において、符号２４は、投影された宣伝広告である。
【００２２】
また、前記内照式電飾看板用幅広不燃性シート１０は、両面にインクジェット印刷が可能である。
【００２３】
また、好ましくは、前記ガラス繊維基布１２の坪量が１５０〜７００ｇ／ｍ２、前記粘着剤層１４の坪量が片面につき２〜１１ｇ／ｍ２、前記シリコーンコーティング層１６の坪量が片面につき５〜２５ｇ／ｍ２である。
【００２４】
図示の例では、ガラス繊維基布１２のガラス繊維基布と粘着剤層１４のポリウレタン系粘着剤とシリコーンコーティング層１６のシリコーン樹脂とは、質量比でそれぞれ９０：３：７とした例を示した。また、図示例では、内照式電飾看板用幅広不燃性シート１０は、幅が３．２ｍの例を示した。
【００２５】
上記のように構成すれば、幅１ｍを超えるサイズとなっても、垂れ下げたときに端部が内側に丸まってカールせず、且つシート表面へのインクジェット印刷が可能とされた内照式電飾看板用幅広不燃性シート１０となる。
【符号の説明】
【００２６】
１０：本考案の内照式電飾看板用幅広不燃性シート、１２：ガラス繊維基布、１４：粘着剤層、１６：シリコーンコーティング層、１８：内照式電飾看板、２０：外枠、２２：光源、２４：宣伝広告。
【図１】
0003221137.tif 000003
【図２】
0003221137.tif 000004
【図３】
0003221137.tif 000005